(57)【要約】      （修正有）【課題】従来のピンセットでは、本体が真っ直ぐな物殆どで、喉の詰まり物のようなものを取り除くといつた危機回避には、不向きな形を形成していた。そこで、喉に入りやすく且つ色々な詰まり物に対応できるピンセットを提供する。【解決手段】二又状になって弾性付与されたピンセット本体にカーブを形成し、喉への入り込みを容易にした。更に、二本のアームの先端内側に円錐状の突起物を付け、柔らかい物だけでなく固い物等、色々な物を確実に把持できるようにした。【選択図】図３
2006247826.tif 000002
【特許請求の範囲】
【請求項１】
一般的に使用されている二又状になって弾性付与されたピンセットにおいて、カーブを形成したことを特徴とするピンセット。
【請求項２】
請求項１に記したピンセットにおいて、把持部であるピンセット先端の夫々の内側に円錐状の突起物を形成したことを特徴とするピンセット。
【発明の詳細な説明】
【技術分野】
【０００１】  この発明は、日常生活において老若男女を問わず、人々が咽喉部への食物等の詰まりに対して、早急に詰まり物を除去することを目的としたことに関するものである。
【背景技術】
【０００２】  従来、ピンセットと一般的に呼ばれているものは、二又状になって弾性付与された、本体の二本のアームの先端で把持する把持部を形成していた。
【発明が解決しようとする課題】
【０００３】  ところで、従来のピンセットは、真っ直ぐな物が殆どで、喉の詰まり物のようなものを取り除くといった危機回避には、不向きな形を形成していた。そこで、この発明はこのような問題を解決するため、喉に入りやすく且つ色々な詰まり物に対応できるように開発したピンセットを提供することを目的とした。
【課題を解決するための手段】
【０００４】  前記の目的を達成するため請求項１の発明は、二又状になって弾性付与されたピンセット本体にカーブをかけ、喉への入り込みを容易にすることを特徴とした。更に請求項２において、ピンセット本体の把持部である二本のアームの先端内側に円錐状の突起物を付け、詰まり物にあっても、柔らかい物、固い物等、色々な物を確実に把持できるよう開発されたことを特徴とした。
【発明の効果】
【０００５】  請求項１・２の発明は、前述した通り、喉に食べ物等を詰まらせた時に、即座に対応できるよう咽喉部に入り易くカーブをかけている。更に把持部であるピンセットの二本のアームの先端内側夫々に円錐型突起物を付け、詰まり物に多い餅等だけでなく、飴のような固い物も確実に掴めるように開発されている。結果、救急用という観点に於ては、従来にない優れたピンセットとなっている。
【発明を実施するための最良の形態】
【０００６】  この発明の実施の形態を図面を参照して説明する。
代表図は、今回のピンセットをイメージした見取り図である。
図１はピンセットの正面図、図２は図１の先端部分の拡大図である。
図３はピンセットを二つに割った展開図、図４は図３の先端部分の拡大図である。
図１を説明する。１はピンセットである。２は二又状になって弾性付与された本体である。３ａ・３ｂは本体の先端であり、把持部である。把持部の３ａ・３ｂの内側には円錐型突起物４ａ・４ｂが形成されており、その最先端には４ａ・４ｂより長く形成された円錐型突起物５ａ・５ｂが形成されている。
図２は、把持部である先端部分の拡大図である。
図３は、ピンセットを二つに割った状態の一方のアームの展開図である。先端部３ｂ（図３には記されていないが、もう一方のアームの先端部、３ａも同様）はアームを平面から見た場合、徐々に先細になっていく。
図４は、図３の把持部である先端の拡大図である。最先端の２本の円錐型突起物５ｂは、他の円錐型突起物４ｂより長く形成されている。また、図３同様、図４には記されていないが、当然このピンセットにはもう一方のアームが存在する。そのアームの先端にも、最先端には２本の長めの円錐型突起物５ａが存在する。そしてその他の短めの円錐型突起物４ａも存在する（図１又は図２を参照）。
なお、５ａ・５ｂは夫々２本づつであり、４ａ・４ｂは夫々２本並びの７列、１４本（図４参照）を基本としているが、一例であり状況に応じて、適宜に設計等を変えることができる。
また５ａ・５ｂ及び４ａ・４ｂは，長さは５ａ・５ｂの方が４ａ４ｂより長いものとする。しかし、長さそのものは、５ａ・５ｂ、４ａ・４ｂ共に適宜に設計等を変えることができる。
また、このピンセットそのものは、ステンレス素材を基本としているが、ピンセットそのものは二股状で弾性付与されるものであれば、特には問わない。
更に付け加えるが、突起物は、円錐型としたが、これも三角錐・四角錐といったようなものに状況に応じて、適宜に設計等を変えることができる。
また、ピンセットのアームのカーブも同様であり、カーブの角度等は、子供用・大人用と言った具合に状況に応じて、適宜に設計を変えることができる。
【実施例】
【０００７】  一般的には、お年よりが餅を喉に詰まらせると言う場合が多いと考えられる。そのため、喉に詰まらせた本人がこのピンセットを使えば、カーブの特性を活かして素早く喉に入れることが可能であり、詰まり物を除去することができる。
また、子供が飴を詰まらせた場合も、本人が除去しようとするにせよ、側にいる人が除去しようとするにせよ、先端に突起物のある本発明のピンセットであれば、飴がつるつる滑ることなく、確実に把持でき、除去することができるのである。
最先端の突起物２本が、他の突起物より長くしてあることは、引っ掻け易くし、把持を更に確実なものにするためである。
【産業上の利用可能性】
【０００８】  病院等で幅広く使用して頂くことは、十分可能であり、需要も多いと考える。また一般家庭にも１・２本置いて頂き、緊急用に備えて頂きたいピンセットである。一般家庭に普及すれば、医療機器メーカー以外の会社にも供給が多くなると考える。
【図面の簡単な説明】
【代表図】
本発明のピンセットの見取り図である。
【図１】
本発明のピンセットの正面図である。
【図２】
図１の先端部分の拡大図である。
【図３】
本発明のピンセットを二つに割った展開図である。
【図４】
図３の先端部分の拡大図である。
【符号の説明】
１  ピンセット
２  ピンセット本体部分
３ａ・３ｂ  把持部
４ａ・４ｂ  先端部分内側の突起物
５ａ・５ｂ  先端部分内側の最先端の突起物
2006247826.tif 000003
【図１】
2006247826.tif 000004
【図２】
2006247826.tif 000005
【図３】
2006247826.tif 000006
【図４】
2006247826.tif 000007
【手続補正書】
【提出日】平成17年5月6日(2005.5.6)
【手続補正３】
【補正対象書類名】明細書
【補正対象項目名】全文
【補正方法】変更
【補正の内容】
【発明の詳細な説明】
【技術分野】
【０００１】  この発明は、日常生活において老若男女を問わず、人々が咽喉部への食物等の詰まりに対して、早急に詰まり物を除去することを目的としたことに関するものである。
【背景技術】
【０００２】  従来、ピンセットと一般的に呼ばれているものは、二又状になって弾性付与された、本体の二本のアームの先端で把持する把持部を形成していた。
【発明が解決しようとする課題】
【０００３】  ところで、従来のピンセットは、真っ直ぐな物が殆どで、喉の詰まり物のようなものを取り除くといった危機回避には、不向きな形を形成していた。そこで、この発明はこのような問題を解決するため、喉に入りやすく且つ色々な詰まり物に対応できるように開発したピンセットを提供することを目的とした。
【課題を解決するための手段】
【０００４】  前記の目的を達成するため請求項１の発明は、二又状になって弾性付与されたピンセット本体にカーブをかけ、喉への入り込みを容易にすることを特徴とした。更に請求項２において、ピンセット本体の把持部である二本のアームの先端内側に円錐状の突起物を付け、詰まり物にあっても、柔らかい物、固い物等、色々な物を確実に把持できるよう開発されたことを特徴とした。
【発明の効果】
【０００５】  請求項１・２の発明は、前述した通り、喉に食べ物等を詰まらせた時に、即座に対応できるよう咽喉部に入り易くカーブをかけている。更に把持部であるピンセットの二本のアームの先端内側夫々に円錐型突起物を付け、詰まり物に多い餅等だけでなく、飴のような固い物も確実に掴めるように開発されている。結果、救急用という観点に於ては、従来にない優れたピンセットとなっている。
【発明を実施するための最良の形態】
【０００６】  この発明の実施の形態を図面を参照して説明する。
図１は、今回のピンセットをイメージした見取図である。
図２はピンセットの正面図、図３は図２の先端部分の拡大図である。
図４はピンセットを二つに割った展開図、図５は図４の先端部分の拡大見取図である。
以下、夫々の図面について符号の説明を交えて詳しく説明する。
先ず図２である。１はピンセットである。２は二又状になって弾性付与された本体である。３ａ・３ｂは本体の先端であり、把持部である。
次に図３である。把持部の３ａ・３ｂの内側には円錐型突起物４ａ・４ｂが形成されており、その最先端には４ａ・４ｂより長く形成された円錐型突起物５ａ・５ｂが形成されている。
図４は、ピンセットを二つに割った状態の一方のアームの展開図である。先端把持部３ｂ（図４には記されていないが、もう一方のアームの先端把持部３ａも同様）はアームを平面から見た場合、徐々に先細になっていく。
図５は、図４の把持部である先端の拡大見取図である。最先端の２本の円錐型突起物５ｂは、他の円錐型突起物４ｂより長く形成されている。また、図４同様、図５には記されていないが、当然このピンセットにはもう一方のアームが存在する。そのアームの先端にも、最先端には２本の長めの円錐型突起物５ａが存在する。そしてその他の短めの円錐型突起物４ａも存在する（図２または図３を参照）。
なお、５ａ・５ｂは夫々２本づつであり、４ａ・４ｂは夫々２本並びの７列、１４本（図５参照）を基本としているが、一例であり状況に応じて、適宜に設計等を変えることができる。
また５ａ・５ｂ及び４ａ・４ｂは，長さは５ａ・５ｂの方が４ａ４ｂより長いものとする。しかし、長さそのものは、５ａ・５ｂ、４ａ・４ｂ共に適宜に設計等を変えることができる。
また、このピンセットそのものは、ステンレス素材を基本としているが、ピンセットそのものは二股状で弾性付与されるものであれば、特には問わない。
更に付け加えるが、突起物は、円錐型としたが、これも三角錐・四角錐といったようなものに状況に応じて、適宜に設計等を変えることができる。
また、ピンセットのアームのカーブも同様であり、カーブの角度等は、子供用・大人用と言った具合に状況に応じて、適宜に設計を変えることができる。
【実施例】
【０００７】  一般的には、お年よりが餅を喉に詰まらせると言う場合が多いと考えられる。そのため、喉に詰まらせた本人がこのピンセットを使えば、カーブの特性を活かして素早く喉に入れることが可能であり、詰まり物を除去することができる。
また、子供が飴を詰まらせた場合も、本人が除去しようとするにせよ、側にいる人が除去しようとするにせよ、先端に突起物のある本発明のピンセットであれば、飴がつるつる滑ることなく、確実に把持でき、除去することができるのである。
最先端の突起物２本が、他の突起物より長くしてあることは、引っ掻け易くし、把持を更に確実なものにするためである。
【産業上の利用可能性】
【０００８】  病院等で幅広く使用して頂くことは、十分可能であり、需要も多いと考える。また一般家庭にも１・２本置いて頂き、緊急用に備えて頂きたいピンセットである。一般家庭に普及すれば、医療機器メーカー以外の会社にも供給が多くなると考える。
【図面の簡単な説明】
【０００９】
【図１】  本発明のピンセットの見取り図である。
【図２】  本発明のピンセットの正面図である。
【図３】  図２の先端部分の拡大図である。
【図４】  本発明のピンセットを二つに割った展開図である。
【図５】  図４の先端部分の拡大見取図である。
【符号の説明】
１  ピンセット
２  ピンセット本体部分
３ａ・３ｂ  把持部
４ａ・４ｂ  先端部分内側の突起物
５ａ・５ｂ  先端部分内側の最先端の突起物
【手続補正４】
【補正対象書類名】図面
【補正対象項目名】全図
【補正方法】変更
【補正の内容】
【図１】
2006247826.tif 000008
【図２】
2006247826.tif 000009
【図３】
2006247826.tif 000010
【図４】
2006247826.tif 000011
【図５】
2006247826.tif 000012